(57)【要約】【課題】組立性が良く、対物レンズに光束を入射させる光学系の光軸と対物レンズの光軸とを容易に一致させることができる光ピックアップを提供する。【解決手段】記録媒体に集光するための対物レンズ１と、対物レンズ１を記録媒体の略垂直方向および／または略半径方向に移動可能に支持するレンズアクチュエータ１０と、レンズアクチュエータ１０を記録媒体の略半径方向に移動可能に支持するキャリッジ２１と、対物レンズ１を経て記録媒体に照射する光を発光する発光素子４３と、記録媒体からの戻り光を受光する受光素子５６とを有する光ピックアップにおいて、少なくとも発光素子４３および受光素子５６を含む光学系をキャリッジ２１と異なるハウジング４１に取り付けて、ハウジング４１を傾き調整可能にキャリッジ２１に固定する。【選択図】図２
2005071469.tif 000002
【特許請求の範囲】
【請求項１】
記録媒体に集光するための対物レンズと、該対物レンズを記録媒体の略垂直方向および／または略半径方向に移動可能に支持するレンズアクチュエータと、該レンズアクチュエータを記録媒体の略半径方向に移動可能に支持するキャリッジと、前記対物レンズを経て記録媒体に照射する光を発光する発光素子と、記録媒体からの戻り光を受光する受光素子とを有する光ピックアップにおいて、
少なくとも前記発光素子および前記受光素子を含む光学系を前記キャリッジと異なるハウジングに取り付けて、該ハウジングを傾き調整可能に前記キャリッジに固定したことを特徴とする光ピックアップ。
【請求項２】
記録媒体に集光するための対物レンズと、該対物レンズを記録媒体の略垂直方向および／または略半径方向に移動可能に支持するレンズアクチュエータと、該レンズアクチュエータを記録媒体の略半径方向に移動可能に支持するキャリッジと、前記対物レンズを経て記録媒体に照射する波長の異なる光を発光する少なくとも２個の発光素子と、記録媒体からの戻り光を受光する受光素子とを有する光ピックアップにおいて、
前記発光素子をそれぞれ含むように光学系を少なくとも２個の異なるハウジングに取り付けて、これらハウジングを傾き調整可能に前記キャリッジに固定したことを特徴とする光ピックアップ。
【請求項３】
記録媒体に集光するための対物レンズと、該対物レンズを記録媒体の略垂直方向および／または略半径方向に移動可能に支持するレンズアクチュエータと、該レンズアクチュエータを記録媒体の略半径方向に移動可能に支持するキャリッジと、前記対物レンズを経て記録媒体に照射する波長の異なる光を発光する少なくとも２個の発光素子と、記録媒体からの戻り光を受光する受光素子とを有する光ピックアップにおいて、
前記発光素子をそれぞれ含む少なくとも２個の光学系のうち、少なくとも１個の光学系をハウジングに取り付けて、該ハウジングを傾き調整可能に前記キャリッジに固定すると共に、残りの光学系を前記キャリッジに直接固定するか、あるいは別のハウジングに取り付けて、該ハウジングを傾き調整機構を介することなく前記キャリッジに固定したことを特徴とする光ピックアップ。
【請求項４】
前記キャリッジに傾き調整可能に固定されたハウジングは、波長が最も短い発光素子を含むことを特徴とする請求項３に記載の光ピックアップ。
【請求項５】
記録媒体に集光するための対物レンズと、該対物レンズを記録媒体の略垂直方向および／または略半径方向に移動可能に支持するレンズアクチュエータと、該レンズアクチュエータを記録媒体の略半径方向に移動可能に支持するキャリッジと、前記対物レンズを経て異なるＮＡの記録媒体に対応する光を発光する少なくとも２個の発光素子と、記録媒体からの戻り光を受光する受光素子とを有する光ピックアップにおいて、
前記発光素子をそれぞれ含むように光学系を少なくとも２個の異なるハウジングに取り付けて、これらハウジングを傾き調整可能に前記キャリッジに固定したことを特徴とする光ピックアップ。
【請求項６】
記録媒体に集光するための対物レンズと、該対物レンズを記録媒体の略垂直方向および／または略半径方向に移動可能に支持するレンズアクチュエータと、該レンズアクチュエータを記録媒体の略半径方向に移動可能に支持するキャリッジと、前記対物レンズを経て異なるＮＡの記録媒体に対応する光を発光する少なくとも２個の発光素子と、記録媒体からの戻り光を受光する受光素子とを有する光ピックアップにおいて、
前記発光素子をそれぞれ含む少なくとも２個の光学系のうち、少なくとも１個の光学系をハウジングに取り付けて、該ハウジングを傾き調整可能に前記キャリッジに固定すると共に、残りの光学系を前記キャリッジに直接固定するか、あるいは別のハウジングに取り付けて、該ハウジングを傾き調整機構を介することなく前記キャリッジに固定したことを特徴とする光ピックアップ。
【請求項７】
前記キャリッジに傾き調整可能に固定されたハウジングは、最も大きいＮＡに対応する発光素子を含むことを特徴とする請求項６に記載の光ピックアップ。
【請求項８】
前記キャリッジに傾き調整機構を介することなく固定された２種類以上の光を分離する分光手段を備えることを特徴とする請求項２〜７のいずれか一項に記載の光ピックアップ。
【請求項９】
前記分光手段は、ダイクロイックプリズムからなることを特徴とする請求項８に記載の光ピックアップ。
【請求項１０】
前記分光手段は、波長による屈折率の違いを利用したプリズムからなることを特徴とする請求項８に記載の光ピックアップ。
【請求項１１】
前記分光手段は、回折格子からなることを特徴とする請求項８に記載の光ピックアップ。
【請求項１２】
前記キャリッジと該キャリッジに傾き調整可能に固定する前記ハウジングとの接触面の少なくとも一方を球面形状あるいは円錐形状としたことを特徴とする請求項１〜１１のいずれか一項に記載の光ピックアップ。
【請求項１３】
前記キャリッジと該キャリッジに傾き調整可能に固定する前記ハウジングとの接触面の少なくとも一方を球面形状あるいは円錐側面形状とすると共に、前記レンズアクチュエータと前記キャリッジとの接触面の少なくとも一方を球面形状あるいは円錐側面形状として、前記レンズアクチュエータを傾き調整可能に前記キャリッジに搭載し、それら球面の中心、あるいは円錐側面の場合、仮想の円錐底面が存在する部分を前記対物レンズ側として、前記ハウジング側の光軸と前記対物レンズの光軸とを一致させたことを特徴とする請求項１〜１１のいずれか一項に記載の光ピックアップ。
【請求項１４】
前記キャリッジに傾き調整可能に固定する前記ハウジングを前記キャリッジに押圧する手段を有すると共に、該ハウジングをネジの回転により傾き調整可能に該ネジにより前記キャリッジに固定したことを特徴とする請求頂１〜１３のいずれか一項に記載の光ピックアップ。
【請求項１５】
前記キャリッジまたは該キャリッジに傾き調整可能に固定する前記ハウジングのいずれ一方からネジの先端を突出させ、該ネジの先端を前記ハウジングまたは前記キャリッジに当接させて該ネジを回転することにより、前記ハウジングを傾き調整可能に構成したことを特徴とする請求項１〜１１のいずれか一項に記載の光ピックアップ。
【請求項１６】
前記ネジの先端に前記ハウジングまたは前記キャリッジを押圧する手段を設けたことを特徴とする請求項１５に記載の光ピックアップ。
【請求項１７】
前記キャリッジと該キャリッジに傾き調整可能に固定する前記ハウジングとの間に、くさび角が変更可能なくさび形状部材を回転可能に配置し、該くさび形状部材を回転およびくさび角を変更することにより、前記ハウジングを傾き調整可能に構成したことを特徴とする請求項１〜１１のいずれか一項に記載の光ピックアップ。
【請求項１８】
前記キャリッジと該キャリッジに傾き調整可能に固定する前記ハウジングとの間に、少なくとも２個のくさび形断面を有するくさび形状部材を回転可能に配置し、これらくさび形状部材を回転することにより、前記ハウジングを傾き調整可能に構成したことを特徴とする請求項１〜１１のいずれか一項に記載の光ピックアップ。
【請求項１９】
前記くさび形状部材を前記キャリッジと前記ハウジングとの間で挟み込む方向に押圧する手段を有することを特徴とする請求項１７または１８に記載の光ピックアップ。
【請求項２０】
前記キャリッジと該キャリッジに傾き調整可能に固定する前記ハウジングとを電歪素子を介して固定すると共に、該電歪素子に電圧を印加することにより、前記ハウジングを傾き調整可能に構成したことを特徴とする請求項１〜１１のいずれか一項に記載の光ピックアップ。
【発明の詳細な説明】
【技術分野】
【０００１】
本発明は、光学的に情報の記録／再生を行う光学式記録再生装置に設けられる光ピックアップに関するものである。
【背景技術】
【０００２】
光学式記録再生装置は、ＣＤからＤＶＤ、さらに波長４０５ｎｍのレーザを使用したディスクの採用と、波長を短くすることによる高密度化が進められている。また、対物レンズのNＡを大きくすることによる高密度化も進められている。このような高密度化に伴って、光学系はより精度を高めることが求められている。
【０００３】
従来、ディスクに光を照射する対物レンズには、その光軸とディスクとの垂直度のずれによる収差の発生を抑えることが要求され、ディスクとの垂直度を高めるためのレンズ傾き調整機構が設けられていた。しかし、高密度化を図るには、それだけでは不十分で、光学系から出射される光の光軸と対物レンズの光軸とが傾いていることによる収差の発生についても許容できなくなってきている。
【０００４】
この傾きを調整して光学系から出射される光の光軸と対物レンズの光軸とを一致させる方法として、光学系内の光路を曲げる反射体を回転可能としてその角度を調整する方法が知られている（例えば、特許文献１参照）。
【０００５】
【特許文献１】特開２００２−９２８９６号公報
【発明の開示】
【発明が解決しようとする課題】
【０００６】
ところで、光ピックアップにおける光学系には、多くの調整箇所が存在する。例えば、レーザから出た光を平行光にするためのコリメータレンズ調整がある。このコリメータレンズ調整は、コリメータレンズを光軸方向に調整可能にしておき、その位置を動かすことによって行われる。これは、対物レンズを含む部組を固定する前に、対物レンズの部分に来る光を見ながら行うのが一般的である。
【０００７】
しかし、特許文献１に開示の方法では、反射体が回転可能となっているため、初期の状態では反射体の角度が正しいとは限らず、その結果、対物レンズの部分に来る光が正しい向きとは限らないため、その光を観察しながらの調整ができず、調整作業が難しくなる。このような問題は、コリメータレンズ調整に限らず、ほとんどの調整は対物レンズの部分に来る光を見ながら行うため、同様に生じることになる。
【０００８】
上記の問題を解決する方法として、反射体が固定される位置の光を取り出すように調整装置を工夫することが考えられるが、この場合には、反射体が設けられる位置が一般に狭いため、光を取り出すのが難しくなり、複雑な機構を持つ調整装置が必要になることになる。このようなことから、上記の特許文献１に開示の光ピックアップにあっては、作業性が悪く、複雑な組立調整装置が必要になるなど、組立性が悪いという問題がある。
【０００９】
したがって、かかる点に鑑みてなされた本発明の目的は、組立性が良く、対物レンズに光束を入射させる光学系の光軸と対物レンズの光軸とを容易に一致させることができる光ピックアップを提供することにある。
【課題を解決するための手段】
【００１０】
上記目的を達成する請求項１に係る発明は、記録媒体に集光するための対物レンズと、該対物レンズを記録媒体の略垂直方向および／または略半径方向に移動可能に支持するレンズアクチュエータと、該レンズアクチュエータを記録媒体の略半径方向に移動可能に支持するキャリッジと、前記対物レンズを経て記録媒体に照射する光を発光する発光素子と、記録媒体からの戻り光を受光する受光素子とを有する光ピックアップにおいて、少なくとも前記発光素子および前記受光素子を含む光学系を前記キャリッジと異なるハウジングに取り付けて、該ハウジングを傾き調整可能に前記キャリッジに固定したことを特徴とするものである。
【００１１】
請求項２に係る発明は、記録媒体に集光するための対物レンズと、該対物レンズを記録媒体の略垂直方向および／または略半径方向に移動可能に支持するレンズアクチュエータと、該レンズアクチュエータを記録媒体の略半径方向に移動可能に支持するキャリッジと、前記対物レンズを経て記録媒体に照射する波長の異なる光を発光する少なくとも２個の発光素子と、記録媒体からの戻り光を受光する受光素子とを有する光ピックアップにおいて、前記発光素子をそれぞれ含むように光学系を少なくとも２個の異なるハウジングに取り付けて、これらハウジングを傾き調整可能に前記キャリッジに固定したことを特徴とするものである。
【００１２】
請求項３に係る発明は、記録媒体に集光するための対物レンズと、該対物レンズを記録媒体の略垂直方向および／または略半径方向に移動可能に支持するレンズアクチュエータと、該レンズアクチュエータを記録媒体の略半径方向に移動可能に支持するキャリッジと、前記対物レンズを経て記録媒体に照射する波長の異なる光を発光する少なくとも２個の発光素子と、記録媒体からの戻り光を受光する受光素子とを有する光ピックアップにおいて、前記発光素子をそれぞれ含む少なくとも２個の光学系のうち、少なくとも１個の光学系をハウジングに取り付けて、該ハウジングを傾き調整可能に前記キャリッジに固定すると共に、残りの光学系を前記キャリッジに直接固定するか、あるいは別のハウジングに取り付けて、該ハウジングを傾き調整機構を介することなく前記キャリッジに固定したことを特徴とするものである。
【００１３】
請求項４に係る発明は、請求項３に記載の光ピックアップにおいて、前記キャリッジに傾き調整可能に固定されたハウジングは、波長が最も短い発光素子を含むことを特徴とするものである。
【００１４】
請求項５に係る発明は、記録媒体に集光するための対物レンズと、該対物レンズを記録媒体の略垂直方向および／または略半径方向に移動可能に支持するレンズアクチュエータと、該レンズアクチュエータを記録媒体の略半径方向に移動可能に支持するキャリッジと、前記対物レンズを経て異なるＮＡの記録媒体に対応する光を発光する少なくとも２個の発光素子と、記録媒体からの戻り光を受光する受光素子とを有する光ピックアップにおいて、前記発光素子をそれぞれ含むように光学系を少なくとも２個の異なるハウジングに取り付けて、これらハウジングを傾き調整可能に前記キャリッジに固定したことを特徴とするものである。
【００１５】
請求項６に係る発明は、記録媒体に集光するための対物レンズと、該対物レンズを記録媒体の略垂直方向および／または略半径方向に移動可能に支持するレンズアクチュエータと、該レンズアクチュエータを記録媒体の略半径方向に移動可能に支持するキャリッジと、前記対物レンズを経て異なるＮＡの記録媒体に対応する光を発光する少なくとも２個の発光素子と、記録媒体からの戻り光を受光する受光素子とを有する光ピックアップにおいて、前記発光素子をそれぞれ含む少なくとも２個の光学系のうち、少なくとも１個の光学系をハウジングに取り付けて、該ハウジングを傾き調整可能に前記キャリッジに固定すると共に、残りの光学系を前記キャリッジに直接固定するか、あるいは別のハウジングに取り付けて、該ハウジングを傾き調整機構を介することなく前記キャリッジに固定したことを特徴とするものである。
【００１６】
請求項７に係る発明は、請求項６に記載の光ピックアップにおいて、前記キャリッジに傾き調整可能に固定されたハウジングは、最も大きいＮＡに対応する発光素子を含むことを特徴とするものである。
【００１７】
請求項８に係る発明は、請求項２〜７のいずれか一項に記載の光ピックアップにおいて、前記キャリッジに傾き調整機構を介することなく固定された２種類以上の光を分離する分光手段を備えることを特徴とするものである。
【００１８】
請求項９に係る発明は、請求項８に記載の光ピックアップにおいて、前記分光手段は、ダイクロイックプリズムからなることを特徴とするものである。
【００１９】
請求項１０に係る発明は、請求項８に記載の光ピックアップにおいて、前記分光手段は、波長による屈折率の違いを利用したプリズムからなることを特徴とするものである。
【００２０】
請求項１１に係る発明は、請求項８に記載の光ピックアップにおいて、前記分光手段は、回折格子からなることを特徴とするものである。
【００２１】
請求項１２に係る発明は、請求項１〜１１のいずれか一項に記載の光ピックアップにおいて、前記キャリッジと該キャリッジに傾き調整可能に固定する前記ハウジングとの接触面の少なくとも一方を球面形状あるいは円錐形状としたことを特徴とするものである。
【００２２】
請求項１３に係る発明は、請求項１〜１１のいずれか一項に記載の光ピックアップにおいて、前記キャリッジと該キャリッジに傾き調整可能に固定する前記ハウジングとの接触面の少なくとも一方を球面形状あるいは円錐側面形状とすると共に、前記レンズアクチュエータと前記キャリッジとの接触面の少なくとも一方を球面形状あるいは円錐側面形状として、前記レンズアクチュエータを傾き調整可能に前記キャリッジに搭載し、それら球面の中心、あるいは円錐側面の場合、仮想の円錐底面が存在する部分を前記対物レンズ側として、前記ハウジング側の光軸と前記対物レンズの光軸とを一致させたことを特徴とするものである。
【００２３】
請求項１４に係る発明は、請求頂１〜１３のいずれか一項に記載の光ピックアップにおいて、前記キャリッジに傾き調整可能に固定する前記ハウジングを前記キャリッジに押圧する手段を有すると共に、該ハウジングをネジの回転により傾き調整可能に該ネジにより前記キャリッジに固定したことを特徴とするものである。
【００２４】
請求項１５に係る発明は、請求項１〜１１のいずれか一項に記載の光ピックアップにおいて、前記キャリッジまたは該キャリッジに傾き調整可能に固定する前記ハウジングのいずれ一方からネジの先端を突出させ、該ネジの先端を前記ハウジングまたは前記キャリッジに当接させて該ネジを回転することにより、前記ハウジングを傾き調整可能に構成したことを特徴とするものである。
【００２５】
請求項１６に係る発明は、請求項１５に記載の光ピックアップにおいて、前記ネジの先端に前記ハウジングまたは前記キャリッジを押圧する手段を設けたことを特徴とするものである。
【００２６】
請求項１７に係る発明は、請求項１〜１１のいずれか一項に記載の光ピックアップにおいて、前記キャリッジと該キャリッジに傾き調整可能に固定する前記ハウジングとの間に、くさび角が変更可能なくさび形状部材を回転可能に配置し、該くさび形状部材を回転およびくさび角を変更することにより、前記ハウジングを傾き調整可能に構成したことを特徴とするものである。
【００２７】
請求項１８に係る発明は、請求項１〜１１のいずれか一項に記載の光ピックアップにおいて、前記キャリッジと該キャリッジに傾き調整可能に固定する前記ハウジングとの間に、少なくとも２個のくさび形断面を有するくさび形状部材を回転可能に配置し、これらくさび形状部材を回転することにより、前記ハウジングを傾き調整可能に構成したことを特徴とするものである。
【００２８】
請求項１９に係る発明は、請求項１７または１８に記載の光ピックアップにおいて、前記くさび形状部材を前記キャリッジと前記ハウジングとの間で挟み込む方向に押圧する手段を有することを特徴とするものである。
【００２９】
請求項２０に係る発明は、請求項１〜１１のいずれか一項に記載の光ピックアップにおいて、前記キャリッジと該キャリッジに傾き調整可能に固定する前記ハウジングとを電歪素子を介して固定すると共に、該電歪素子に電圧を印加することにより、前記ハウジングを傾き調整可能に構成したことを特徴とするものである。
【発明の効果】
【００３０】
請求項１に係る発明によれば、光学系の光軸を対物レンズの光軸方向に正確に合わせることができ、かつ、光学系の調整を容易に行うことができる。
【００３１】
請求項２に係る発明によれば、それぞれ発光素子を備える２個以上の光学系の光軸を対物レンズの光軸方向に正確に合わせることができ、かつ、光学系の調整を容易に行うことができる。
【００３２】
請求項３および請求項４に係る各発明によれば、それぞれ発光素子を備える２個以上の光学系のうち、精度の必要な光学系のみを調整することで、小型化、低価格化が図れる。
【００３３】
請求項５に係る発明によれば、それぞれ発光素子を備える２個以上の光学系の光軸を対物レンズの光軸方向に正確に合わせることができ、かつ、光学系の調整を容易に行うことができる。
【００３４】
請求項６および７に係る各発明によれば、それぞれ発光素子を備える２個以上の光学系のうち、精度の必要な光学系のみを調整することで、小型化、低価格化が図れる。
【００３５】
請求項８〜１１に係る各発明によれば、分光手段を傾き調整機構を介することなくキャリッジに固定しているので、調整精度を高めることができる。
【００３６】
請求項１２に係る発明によると、ハウジングの傾き調整を容易に行うことができるので、光学系の光軸を対物レンズの光軸方向に容易かつ正確に合わせることができる。
【００３７】
請求項１３に係る発明によると、レンズアクチュエータもキャリッジに傾き調整可能に取り付けるので、より光学特性の良好な光ピックアップを実現することができる。
【００３８】
請求項１４に係る発明によると、ハウジングの傾き調整を容易に行うことができる。
【００３９】
請求項１５に係る発明によると、簡単な構成でハウジングを傾き調整できると共に、光ピックアップの薄型化および部品の低価格化が図れる。
【００４０】
請求項１６および１７に係る各発明によると、ハウジングの傾き調整を容易に行うことができる。
【００４１】
請求項１８に係る発明によると、ハウジングの傾き調整機構を安価にすることができる。
【００４２】
請求項１９および２０に係る各発明によると、ハウジングの傾き調整を容易に行うことができる。
【発明を実施するための最良の形態】
【００４３】
以下、本発明による光ピックアップの実施の形態について、図面を参照して説明する。
【００４４】
（第１実施の形態）
図１〜図６は本発明の第１実施の形態を示すもので、図１は光ピックアップの上面図、図２は側面断面図、図３は側面図、図４は部品の固定方法説明図、図５は一部上面図、図６は要部の機能説明図である。
【００４５】
図１および図２において、対物レンズ１はホルダ２に装着され、このホルダ２にフォーカスコイル３ａ，３ｂ、トラッキングコイル４ａ〜４ｄが装着されている。また、ホルダ２には、ベリリウム銅製の４本のワイヤバネ５ａ〜５ｄ（５ａは図示せず）の一端も接着され、これらワイヤバネ５ａ〜５ｄとフォーカスコイル３ａ，３ｂおよびトラッキングコイル４ａ〜４ｄの端末とが、ホルダ２に固定された基板６ａ，６ｂを介して接続されている。ワイヤバネ５ａ〜５ｄの他端はバネウケ７に接着され、これによりホルダ２はワイヤバネ５ａ〜５ｄにより図示しない記録媒体の垂直方向（Ｚ方向）および半径方向（Ｘ方向）に移動可能に支持されている。バネウケ７には基板８が固定され、この基板８にワイヤバネ５ａ〜５ｄが半田付けされて、さらに図示しないフレキシブル基板を介して外部の電気回路の接続される。バネウケ７は、鉄製のベース９に形成された曲げ立ち上げ部１１ａ，１１ｂの一方の曲げ立ち上げ部１１ａに固定されている。曲げ立ち上げ部１１ａ，１１ｂには、磁界を発生させる磁石１２ａ，１２ｂも固定されている。
【００４６】
以上のベース９上に組み立てられた対物レンズ１を動かすための機構をレンズアクチュエータ１０と呼ぶ。なお、図３にように、レンズアクチュエータ１０には保護用のカバー１３が取り付けられる。
【００４７】
レンズアクチュエータ１０は、キャリッジ２１に固定されている。ベース９には図示しない球面部が設けられ、キャリッジ２１の球面部２６と接するようにネジ２５ａ〜２５ｃで固定されている（ネジはキャリッジ側から通され、図１では頭でなく先端が見えている）。ネジ２５ａには、図示しないバネが間に通されている（後述する光学ハウジング４１の固定法と同様）。
【００４８】
キャリッジ２１には、オイルレスメタル２３ａ，２３ｂが固定され、ここに軸２２ａが通されている。さらに、キャリッジ２１に一体に設けられた軸受部２４に軸２２ｂが通されている。軸２２ａはオイルレスメタル２３ａ，２３ｂの潤滑性で摺動するので何も塗布しないが、軸２２ｂについては、キャリッジ２１と直接摺動するため、潤滑剤としてグリースを塗布する。軸２２ａ，２２ｂは、図示しないデッキベースに記録媒体の半径方向（Ｘ方向）に固定されている。したがって、キャリッジ２１は、デッキベースに対して記録媒体の半径方向に移動可能に支持されていることになる。
【００４９】
キャリッジ２１には、光学ハウジング４１が、キャリッジ２１に設けられた球面部２９と光学ハウジング４１に設けられた球面部４２とが接するように、ネジ２７ａ〜２７ｃで固定されている。ネジ２７ａには、図２に示すようにキャリッジ２１とネジ頭部との間にバネ２８が挟まれている。さらに、キャリッジ２１には、ホルダ３１に接着された球面収差補正板３０が固定されている。
【００５０】
光学ハウジング４１には、図２に示すように、レーザ光を発光するレーザダイオード４３がイタ４４を介して取り付けられている。イタ４４を介するのは、イタ４４の延びる平面内（光軸に垂直な平面）でレーザダイオード４３を位置調整可能とするためである。また、レーザダイオード４３から対物レンズ１までの光路に沿って、回折格子４５がホルダ４６を介して、ビーム整形レンズ４７が鏡筒４８を介して、１／４波長坂５０が接合されたビームスプリッタ４９がホルダ等を介さず直接、コリメータレンズ５１が鏡筒５２を介して、それぞれ光学ハウジング４１に固定されている。
【００５１】
ここで、ホルダ４６は外形が円筒状に形成されて、光学ハウジング４１に設けられた円筒状穴部に挿入され、これにより回折格子４５は光軸に対して回転調整可能となっている。また、鏡筒４８は、図３および図４に示すように、ネジ５８およびイタ５９により光学ハウジング４１に設けられた２つの壁面６０ａ，６０ｂに押し付けられるように矢印６１の向きに力を受けて固定され、これによりビーム整形レンズ４７は光軸方向に位置調整可能となっている。さらに、鏡筒５２は外形が円筒状に形成されて、光学ハウジング４１に設けられた円筒状穴に挿入され、これによりコリメータレンズ５１は光軸方向に位置調整可能となっている。
【００５２】
また、レーザダイオード４３からの往路の光がビームスプリッタ４９で反射される位置には、フォトディテクタ５３が固定されている。さらに、レーザダイオード４３から記録媒体に到達して反射された復路の光が、ビームスプリッタ４９で反射される位置には、集光レンズ５４が鏡筒５５を介して、フォトディテクタ５６がイタ５７を介して、それぞれ光学ハウジング４１に固定されている。
【００５３】
ここで、鏡筒５５は、鏡筒４９と共通のネジ５８およびイタ５９により光学ハウジング４１に同様に固定され、これにより集光レンズ５４は光軸に対して位置調整可能となっている。また、フォトディテクタ５６はイタ５７を介して固定されることで、レーザダイオード４３と同様に、イタ５７の延びる平面内（光軸に垂直な平面）で位置調整可能となっている。
【００５４】
以上の光学ハウジング４１に固定された光学系部分を光学ブロック４０と呼ぶ。以下、本実施の形態の動作を説明する。
【００５５】
レーザダイオード４３より発せられたレーザ光は回折格子４５に入射し、ここで３ビーム方式によりトラッキング信号を検出するために、０次光と±１次光とに分けられた後、ビーム整形レンズ４７でビーム整形され、さらにビームスプリッタ４９および１／４波長板５０を経由してコリメータレンズ５１に入射して、平行光にされる。その後、球面収差補正板３０で球面収差が補正されて対物レンズ１により記録媒体上にスポット状に照射される。なお、レーザダイオード４３からのレーザ光は、ビームスプリッタ４９で一部反射されてフォトディテクタ５３に入射し、このフォトディテクタ５３の出力に基づいてレーザダイオード４３の発光量の調整が行われる。
【００５６】
また、記録媒体で反射される戻り光は、再び対物レンズ１を通って往路とは逆の経路を辿ってビームスプリッタ４９に入射し、ここで反射されて集光レンズ５４を経てフォトディテクタ５６で受光され、その出力に基づいてフォーカスエラー、トラッキングエラーおよび記録信号が検出される。
【００５７】
ここで、フォーカスエラーが検出された場合には、フォーカスコイル３ａ，３ｂに電流を流すことによって、ホルダ２が記録媒体に垂直な方向に駆動され、トラッキングエラーが検出された場合には、トラッキングコイル４ａ〜４ｂに電流を流すことによって、ホルダ２が記録媒体の半径方向に駆動される。また、異なるトラックにアクセスする場合には、図示しない駆動手段によってキャリッジ２１ごとホルダ２が記録媒体の半径方向に駆動される。以上のようにして、ホルダ２およびそれに保持された対物レンズ１は、フォーカス制御、トラッキング制御およびアクセス制御される。
【００５８】
次に、本実施の形態の光ピックアップにおける光学ブロック４０に関する組立、調整方法について詳細に説明する。
【００５９】
光学ブロック４０に取り付けられた光学部品のうち、先ず、レーザダイオード４３から往路の光に関するビーム整形レンズ４７およびコリメータレンズ５１の位置調整を、光学ブロック４０の単体状態で実施する。これらの調整は、光学ブロック４０のみを調整装置に取り付けて行う。
【００６０】
次に、キャリッジ２１に光学ブロック４０を取り付け、光学ブロック４０から出る光がオイルレスメタル２３ａ，２３ｂおよび軸受部２４をそれぞれ通る軸２２ａおよび２２ｂに対して正確に垂直になるように調整する。この調整の仕組みを以下に詳しく説明する。
【００６１】
図６に示すように、光学ハウジング４１は、その球面部４２がキャリッジ２１の球面部２９に接するように、バネ７２を挟んだネジ７１と、ネジ７３とで固定され、ネジ７１はバネ７２を圧縮するように締められている。したがって、バネ７２は元に戻ろうとする矢印７４で示す力を、ネジ７１の頭部とキャリッジ２１とに及ぼすことになる。ここで、キャリッジ２１のネジ７１の通る部分は雌ねじではなく、ネジ７１が自由に通る穴とされ、雌ねじは光学ハウジング４１にのみ切られている。したがって、ネジ７１の頭部は矢印７５のような力を受け、光学ハウジング４１も矢印７６のような力を受けることになる。
【００６２】
また、ネジ７３についても、キャリッジ２１のネジ７３の通る部分は雌ねじではなく、ネジ７３が自由に通る穴となっており、雌ねじは光学ハウジング４１にのみ切られている。
【００６３】
ここで、ネジ７３を緩めると、光学ハウジング４１は矢印７７の方向に動く。すなわち、光学ハウジング４１は、ネジ７１の部分において矢印７６で示すように力を受けているので、ネジ７３を緩めると、球面部２９に沿って球面部４２が動き、矢印７８で示すように回転する。逆にネジ７３を締めた場合には、光学ハウジング４１は逆に矢印７９のように動き、全体として矢印８０で示すように回転しようとするので、ネジ７１の部分で光学ハウジング４１は、矢印８１に示す向きに動く。その分、バネ２８が矢印８２で示すように圧縮されて動きが吸収されるので、問題なく光学ハウジング４１は矢印８０で示すように回転することが可能となる。
【００６４】
このように、バネ７２によって光学ハウジング４１の動きを吸収できると共に、光学ハウジング４１がキャリッジ２１に押圧されるので、光学ハウジング４１とキャリッジ２１との間にガタが発生することもない。
【００６５】
図５に示すように、バネ２８が挟まれているネジ２７ａとＹ方向に離れているネジ２７ｂでは、主にＹ方向（Ｘ軸回り）の角度を調整することができ、Ｘ方向に離れているネジ２７ｃでは、主にＸ方向（Ｙ軸周り）の角度を調整することができる。ただし、完全に独立した１方向のみの傾き調整とはならないので、うまく２つのネジ２７ｂ、２７ｃで調整する。なお、ネジ２７ａにバネ２８を挟むのに代えて、ネジ２７ｂまたはネジ２７ｃにバネ２８を挟んで調整を行うこともできるし、ネジ２７ａ〜２７ｃの全てにバネ２８を挟んで調整を行うこともできる。
【００６６】
キャリッジ２１に光学ブロック４０を固定したら、キャリッジ２１にレンズアクチュエータ１０を固定する。これも光学ブロック４０と同様に、ネジ２５ａ〜２５ｃおよび図示しないバネによって傾き調整を行う。この際、光学ブロック４０のレーザダイオード４３を発光させて、対物レンズ１から照射される光のスポットを見て調整する。その後、記録媒体から得られる信号を見て、集光レンズ５４およびフォトディテクタ５６の位置調整を行う。
【００６７】
本実施の形態によれば、光学ブロック４０を傾き調整可能にキャリッジ２１に固定することで、光学ブロック４０からの光軸を対物レンズ１の光軸方向に正確に合わせることができ、かつ、光学ブロック４０内のコリメータレンズ５１の調整などを光学ブロック４０単体で行えるので、それら調整装置の構成を簡単にでき、作業も容易になる。また、光学ブロック４０をキャリッジ２１に押圧するバネ２８を持ち、ネジ２７ｂ、２７ｃを回転して傾き調整をすることで、傾き調整を容易に行うことができる。さらに、球面２９，４２で接触させることで、光学系の光軸を対物レンズ１の光軸により容易に、より正確に合わせることができる。
【００６８】
なお、本実施の形態では、光学ブロック４０をキャリッジ２１に固定してからレンズアクチュエータ１０を固定したが、これらを逆の順序でキャリッジ２１に固定することもできる。この場合、レンズアクチュエータ１０は、調整装置に用意した基準光源の光を利用して調整した後に、光学ブロック４０を固定する。このように、既に固定されている対物レンズ１の光軸を基準に、光学ブロック４０の光軸を調整すれば、光学ブロック４０の光軸をより対物レンズ１の光軸に正確に一致させることができる。この場合も、光学ブロック４０内のコリメータレンズ５２などの調整は、光学ブロック４０単体で行うことができるので、それらの調整装置を簡単なものとすることができる。
【００６９】
また、調整機構については、種々の変更が可能である。例えば、光学ハウジング４１は、キャリッジ２１および光学ハウジング４１の双方の接合面を球面形状とする場合に限らず、一方を球面形状とし、他方を複数の凸部として、凸部で球面に接するようにしても良い。この場合、ガタを生じないようにするには、凸部を３個設けるのが好ましい。また、球面形状に代えて円錐側面形状としたり、円錐側面形状と複数の凸部との組み合わせとしたりすることもできる。このような形状とすれば、球面形状とするよりもキャリッジ２１や光学ハウジング４１の部品の作成を容易にすることができる。
【００７０】
（第２実施の形態）
図７は、本発明の第２実施の形態に係る光ピックアップの要部説明図である。
【００７１】
本実施の形態は、第１実施の形態におけるネジ２７ａ〜２７ｃおよびバネ２８を省略すると共に、キャリッジ２１に穴６２ａ，６２ｂを設け、これら穴６２ａ，６２ｂを通して光学ハウジング４１とキャリッジ２１との間に接着剤を供給して両者を接着固定するようにしたもので、その他の構成については、第１実施の形態とほぼ同じであるので、第１実施の形態と同様の作用をなす部材には同一参照符号を付してその説明を省略する。
【００７２】
本実施の形態では、キャリッジ２１に対する光学ブロック４０の調整、固定を次のように行う。先ず、調整装置によって光学ハウジング４１を掴むと同時にキャリッジ２１に押圧し、そのまま球面部２９，４２をすった状態でずらして、光学ブロック４０の傾き調整を行う。その後、調整が済んだところで、穴６２ａ，６２ｂから紫外線硬化形接着剤６３ａ，６３ｂを塗布して、紫外線を照射して硬化させる。紫外線硬化形接着剤６３ａ，６３ｂは、１０秒〜２０秒で硬化するので、硬化後は光学ハウジング４１を調整装置から取り外す。その他の組立、調整方法、動作は、第１実施の形態とほぼ同じである。
【００７３】
本実施の形態によれば、第１実施の形態におけるネジ２７ａ〜２７ｃおよびバネ２８を省略する分、光ピックアップを小型、軽量化することができる。
【００７４】
なお、本実施の形態において、接着剤はあらかじめ塗布しておくこともでき、その場合は穴６２ａ、６２ｂは不要となる。
【００７５】
（第３実施の形態）
図８は、本発明の第３実施の形態に係る光ピックアップの要部説明図である。
【００７６】
本実施の形態では、レンズアクチュエータ１０とキャリッジ２１とが、レンズアクチュエータ１０のべ一ス９の球面部６４とキャリッジ２１の球面部２６とで接するようになっている。これら２つの球面部６４，２６は、対物レンズ１の主点６５付近を中心とする球面となっている。
【００７７】
また、光学ブロック４０とキャリッジ２１とは、光学ハウジング４１の球面部４２とキャリッジ２１の球面部２９とで接するようになっている。なお、本実施の形態では、第１実施の形態と異なり、球面部４２は凹状となっており、球面部２９は凸状となっている。これら２つの球面部４２，２９についても、レンズアクチュエータ１０を固定する球面部２６の中心と同様に、対物レンズ１の主点６５付近を中心とする球面となっている。
【００７８】
レンズアクチュエータ１０の球面部６４の半径６６と光学ブロック４０の球面部４２の半径６７とは異なるが、中心（主点６５）は同じ位置にある。なお、第１実施の形態で示したネジ２７ａ〜２７ｃおよびバネ２８などは、図示していないが同様に設ける。その他の構成、組立、調整方法および動作は、第１実施の形態とほぼ同様であるので、ここでは詳細な説明を省略する。
【００７９】
本実施の形態によれば、レンズアクチュエータ１０の傾き調整を行うための球面部２６，６４と、光学ブロック４０の傾き調整を行うための球面部２９，４２との中心を一致させたので、光学ブロック４０の傾き調整を行っても、その光軸の中心と対物レンズ１の光軸の中心とを一致させることができ、より光学特性の良い光ピックアップを実現することができる。
【００８０】
なお、各球面部の中心を対物レンズ１の主点６５付近とするのは、レンズアクチュエータ１０を対物レンズ１の主点６５を中心に回転させて傾き調整を行っても、記録媒体上のスポットの位置が動くことがないので、調整を容易に行うことができるという利点があるためである。
【００８１】
（第４実施の形態）
図９および図１０は、本発明の第４実施の形態に係る光ピックアップを示すもので、図９は要部説明図、図１０は要部上面図である。
【００８２】
本実施の形態では、キャリッジ２１と光学ブロック４０の光学ハウジング４１とが、ネジ２７ａ〜２７ｄで固定されている。ネジ２７ａ〜２７ｄにはバネ２８ａ〜２８ｄ（２８ｃ、２８ｄは図示せず）が取り付けられている。さらに、キャリッジ２１には、調整ネジ６８ａ〜６８ｃが取り付けられ、その先端６９ａ〜６９ｃ（６９ｃは図示せず）が光学ハウジング４１に接している。調整ネジ６８ａ〜６８ｃは、回すことによりキャリッジ２１からの先端の突出量が調整できるようになっている。なお、図９では、理解を容易にするため、ネジおよび調整ネジを断面一直線上に並んで示したが、実際は図１０に示すように配置されている。その他の構成は、第１実施の形態とほぼ同じである。
【００８３】
本実施の形態では、第１実施の形態の図６に示したネジ７１およびバネ７２の作用と同様に、ネジ２７ａ〜２７ｄおよびバネ２８ａ〜２８ｄが作用し、光学ハウジング４１は矢印７６で示すようにキャリッジ２１に押圧される。この状態で調整ネジ６８ａ〜６８ｃを回すことにより、光学ハウジング４１を矢印７０ａ，７０ｂで示すように動かすことができ、光学ブロック４０の傾きを調整することができる。調整後は、調整ネジ６８ａ〜６８ｃなどを接着剤で固定して、調整がずれないようにする。その他の組立、調整方法および動作は、第１実施の形態とほぼ同じである。
【００８４】
本実施の形態によれば、球面部などを設ける必要がないので、薄型化が図れると共に、部品を単純化できるので、安価にすることができる。
【００８５】
なお、本実施の形態では調整ネジを３本としたが、数は変更可能である。例えば、調整ネジを２本とし、１箇所は動かない凸として、２本の調整ネジで調整することも可能である。また、光学ブロックをキャリッジに押圧するバネの数も適宜変更可能であり、その押圧機構もネジとバネとの組み合わせによるほか、イタバネで押圧するなど種々の変形が可能である。また、押圧するバネがある方が傾き調整は容易であるが、バネをなくし、第２実施の形態のように調整装置で押圧し、傾き調整自体は調整ネジで行って、接着剤で光学ブロックとキャリッジとを固定しても良い。
【００８６】
（第５実施の形態）
図１１〜図１３は本発明の第５実施の形態に係る光ピックアップを示すもので、図１１は要部上面図、図１２は要部側面図、図１３は要部説明図である。
【００８７】
本実施の形態では、キャリッジと光学ブロックとの間に、円盤８１および８２を外周部で蝶番８４により結合してなるくさび角度が変更可能なくさび形状部材を固定する。円盤８１および８２には、光を通すための穴８３が設けられ、穴８３を中心に回転可能にキャリッジと光学ブロックとの間に固定される。このくさび形状部材を矢印８５で示すように回転させると共に、矢印８６で示すようにくさび角を変えることによって光学ブロックの傾き調整を行う。くさび角の調整は、例えば、図１３に示すように、ネジ８７を前後に動かして、その角８８と円盤８２の当たる位置を変えることによって行う。その他の組立、調整方法および動作は、第１実施の形態とほほ同じである。
【００８８】
本実施の形態によれば、くさび形状部材の回転で傾きの方向を、くさび角度で傾きの大きさをそれぞれ直接的に調整できるので、調整を容易にできる。
【００８９】
なお、キャリッジと光学ブロックとの間を狭くする方向にバネなどで力が加わる構成として、くさび形状部材を挟み込むようにしても良い。このようにすれば、組立中におけるくさび形状部材の脱落を防止できるので、傾き調整をより容易に行うことができる。
【００９０】
（第６実施の形態）
図１４および図１５は本発明の第６実施の形態に係る光ピックアップを示すもので、図１４は要部上面図、図１５は要部断面図である。
【００９１】
本実施の形態では、第４実施の形態の調整ネジ６８ａ〜６８ｃの位置に、調整ネジ６８ａ〜６８ｃに代えてキャリッジ２１にそれぞれ穴９４を開け、これら穴９４に光学ハウジング４１から突出させた円柱９３をそれぞれ挿入する。各円柱９３には、リング状のくさび形状部材９２を通して、これをキャリッジ２１と光学ハウジング４１とで挟み込む。
【００９２】
また、キャリッジ２１には、くさび形状部材９２と接するように球状の突起９１を設ける。くさび形状部材９２は、第５実施の形態と異なり、くさび角度を固定として円柱９３の周りに回転させ、これにより球状の突起９１に当たる部分の高さを変えて、第４実施の形態と同様に光学ブロック４０の傾きを調整する。その他の組立、調整方法および動作は、第１実施の形態とほぼ同じである。
【００９３】
本実施の形態によれば、くさび形状部材９２をネジに比べて単純な形状にできるので、調整部分を安価に構成できる。
【００９４】
（第７実施の形態）
図１６は、本発明の第７実施の形態に係る光ピックアップ要部側面図である。
【００９５】
本実施の形態では、第４実施の形態の調整ネジ６８ａ〜６８ｃの代わりに、キャリッジ２１と光学ハウジング４１との間に、電歪素子であるピエゾ素子９５ａ〜９５ｃ（図１６では、９５ｃは図示せず）を組み込み、これらピエゾ素子９５ａ〜９５ｃに電圧を印加して、その長さ（高さ）を変更することにより、第４実施の形態と同様にして光学ブロックの傾きを調整し、調整後は接着剤で固定して角度が狂わないようにする。その他の組立、調整方法および動作は、第１実施の形態とほぼ同じである。
【００９６】
本実施の形態によれば、電気的に傾きを調整できるので、調整性が良くなり、調整の自動化などが容易になる。なお、調整後にキャリッジ２１と光学ハウジング４１とを接着剤で固定するのをやめて、光ピックアップの使用中にも随時傾きを調整可能とすることもできる。このようにすれば、より光学特性の良い光ピックアップを実現することができる。
【００９７】
（第８実施の形態）
図１７は本発明の第８実施の形態に係る光ピックアップの要部断面図である。
【００９８】
本実施の形態では、第１実施の形態においてコリメータレンズ５１ａと球面収差補正板３０との間に、キャリッジ２１に接着固定して、２つの波長の光を分離合成する分光手段としてのダイクロイックプリズム９６が設けられている。また、球面収差補正板３０は、波長により絞り径が変わるように波長選択性を持つコートが施されたものが用いられ、対物レンズ１は２波長に対応したものが用いられている。さらに、キャリッジ２１には、ダイクロイックプリズム９６のＺ（−）方向に第１実施の形態と同様の光学ブロック４０ａが配置され、ダイクロイックプリズム９６のＹ（＋）方向にも光学ブロック４０ｂが配置されている。
【００９９】
光学ブロック４０ａは、第１実施の形態と同様に、レーザダイオード４３ａ、回折格子４５ａ、ビーム整形レンズ４７ａ、ビームスプリッタ４９ａ、１／４波長板５０ａ、コリメータレンズ５１ａ、フォトディテクタ５３ａ、集光レンズ５４ａ、フォトディテクタ５６ａ、光学ハウジング４１ａなどからなっている。
【０１００】
同様に、光学ブロック４０ｂも、レーザダイオード４３ｂ、回折格子４５ｂ、ビーム整形レンズ４７ｂ、ビームスプリッタ４９ｂ、１／４波長板５０ｂ、コリメータレンズ５１ｂ、フォトディテクタ５３ｂ（図示せず）、集光レンズ５４ｂ（図示せず）、フォトディテクタ５６ｂ（図示せず）、光学ハウジング４１ｂなどからなっている。なお、図１７において、光学ブロック４０ａは、光学部品がＹＺ平面方向に配置されているが、光学ブロック４０ｂは、同様の部品が、ＸＹ平面方向に配置されている。
【０１０１】
ここで、レーザダイオード４３ａは、例えば波長４０５ｎｍの光を発するものが用いられ、レーザダイオード４３ｂは波長６６０ｎｍの光を発するものが用いられる。
【０１０２】
光学ハウジング４０ａには、球面部４２ａが設けられ、キャリッジ２１の球面部２９ａと組み合わされて傾き調整が可能となっている。傾き調整するためのネジやバネからなる機構は、第１実施の形態とほぼ同じである。光学ハウジング４０ｂについても、球面部４２ｂが設けられ、キャリッジ２１の球面部２９ｂと組み合わされて傾き調整が可能となっている。図示していないが、ネジやバネからなる調整機構は、第１実施の形態とほぼ同じである。
【０１０３】
光学ブロック４０ａ，４０ｂは、各々独立した状態でコリメータレンズ５１ａ，５１ｂなどの調整がなされた後に、キャリッジ２１にダイクロイックプリズム９６から出る光の光軸が、対物レンズ１の光軸方向と一致するように傾き調整して固定される。
【０１０４】
本実施の形態の光ピックアップを使用する装置では、ダイクロイックプリズム９６により波長によって光が分けられるので、記録媒体の種類に応じて２つの光学ブロックを使い分けることにより、波長４０５ｎｍ用の記録媒体と波長６６０ｎｍ用の記録媒体との両方を使用することができる。このように、本実施の形態は、光学ブロックを２組設け、それらを記録媒体に応じて使い分けるが、その他の組立、調整方法および動作は、第１実施の形態とほぼ同じである。
【０１０５】
本実施の形態では、各々独立して光学ブロック４０ａ，４０ｂからの光軸を対物レンズ１の光軸方向に正確に合わせることができ、かつ、光学ブロック４０ａ，４０ｂ内のコリメータレンズ５１ａ，５１ｂの調整なども光学ブロック単体で行えるので、それら調整装置の構成を簡単にでき、作業も容易になる。
【０１０６】
なお、本実施の形態は種々の変形が可能である。例えば、光学ブロック４０ａおよび光学ブロック４０ｂは、同様の構成ではなく、異なる構成とすることもできる。また、ダイクロイックプリズム９６は、キャリッジ２１に固定する場合に限らず、光学ブロック４０ａに固定して一緒に傾き調整を行うようにすることもできるが、キャリッジ２１に固定した方が、傾きによる光路ずれが発生しないので、より正確な調整を行う点では好ましい。さらに、光を分離合成する分光手段は、ダイクロイックプリズムに限らず、屈折率の違いで分離合成するプリズムや回折格子を用いることもできる。
【０１０７】
また、光学ブロック４０ａ，４０ｂは、異なる波長のレーザダイオードに対応する光学系とする場合に限らず、異なるNＡに対応する光学系とすることもできる。
【０１０８】
さらに、光学ブロック４０ａ，４０ｂは、両方を傾き調整可能とする場合に限らず、一方のみを傾き調整可能とすることもでき、精度が必要な光学系のみを傾き調整することで、小型化、低価格化が図れる。この場合、傾き調整しない光学ブロックは、その光学ハウジングを調整機構を介することなくキャリッジ２１に直接固定したり、あるいは光学ハウジングを用いることなく、キャリッジ２１に光学部品を固定したりすることができる。なお、傾きを調整する光学ブロックは、波長の短い方、あるいはNＡの大きい方の光学ブロックとするのが、調整機構を少なくし、安価にできると共に、光学特性の良い光ピックアップとする点で好ましい。
【０１０９】
また、２つのレーザダイオード４３ａ，４３ｂは、それらの波長の組み合わせなどによって、独立して調整するほどの精度を要しない場合には、１つの光学ハウジングに取り付けて、一緒に傾き調整するように構成することもできる。このようにすれば、小型化および低価格化が期待できる。
【０１１０】
さらにまた、異なる波長の光を発するレーザダイオードの数は、２個に限らず、３個以上とすることもできる。この場合も、各々の光学ブロックを独立に傾き調整可能に構成する他、３個の場合には、１個のレーザダイオードを有する光学ブロックと２個のレーザダイオードを有する光学ブロックとに分けて、それぞれ傾き調整可能に構成するなど、種々の形態が可能である。
【図面の簡単な説明】
【０１１１】
【図１】本発明の第１実施の形態に係る光ピックアップの上面図である。
【図２】同じく、側面断面図である。
【図３】同じく、側面図である。
【図４】同じく、部品の固定方法を説明するための図である。
【図５】同じく、一部上面図である。
【図６】同じく、要部の機能説明図である。
【図７】本発明の第２実施の形態に係る光ピックアップの要部説明図である。
【図８】本発明の第３実施の形態に係る光ピックアップの要部説明図である。
【図９】本発明の第４実施の形態に係る光ピックアップの要部説明図である。
【図１０】同じく、要部上面図である。
【図１１】本発明の第５実施の形態に係る光ピックアップの要部上面図である。
【図１２】同じく、要部側面図である。
【図１３】同じく、要部説明図である。
【図１４】本発明の第６実施の形態に係る光ピックアップの要部上面図である。
【図１５】同じく、要部断面図である。
【図１６】本発明の第７実施の形態に係る光ピックアップの要部側面図である。
【図１７】本発明の第８実施の形態に係る光ピックアップの要部断面図である。
【符号の説明】
【０１１２】
１  対物レンズ
２  ホルダ
３ａ，３ｂ  フォーカスコイル
４ａ〜４ｄ  トラッキングコイル
５ａ〜５ｄ  ワイヤバネ
６ａ，６ｂ  基板
７  バネウケ
８  基板
９  ベース
１０  レンズアクチュエータ
１１ａ，１１ｂ  曲げ立ち上げ部
１２ａ，１２ｂ  磁石
１３  カバー
２１  キャリッジ
２２ａ，２２ｂ  軸
２３ａ，２３ｂ  オイルレスメタル
２４  軸受部
２５ａ〜２５ｃ  ネジ
２６  球面部
２７ａ〜２７ｄ  ネジ
２８，２８ａ〜２８ｄ  バネ
２９，２９ａ，２９ｂ  球面部
３０  球面収差補正板
３１  ホルダ
４０，４０ａ，４０ｂ  光学ブロック
４１，４１ａ，４１ｂ  光学ハウジング
４２，４２ａ，４２ｂ  球面部
４３，４３ａ，４３ｂ  レーザダイオード
４４  イタ
４５，４５ａ，４５ｂ  回折格子
４６  ホルダ
４７，４７ａ，４７ｂ  ビーム整形レンズ
４８  鏡筒
４９，４９ａ，４９ｂ  ビームスプリッタ
５０，５０ａ，５０ｂ  １／４波長坂
５１，５１ａ，５１ｂ  コリメータレンズ
５２  鏡筒
５３，５３ａ，５３ｂ  フォトディテクタ
５４，５４ａ，５４ｂ  集光レンズ
５５  鏡筒
５６，５６ａ，５６ｂ  フォトディテクタ
５７  イタ
５８  ネジ
５９  イタ
６０ａ，６０ｂ  壁面
６２ａ，６２ｂ  穴
６３ａ，６３ｂ  紫外線硬化形接着剤
６４  球面部
６５  主点
６８ａ〜６８ｃ  調整ネジ
６９ａ〜６９ｃ  先端
８１，８２  円盤
８３  穴
８４  蝶番
８７  ネジ
９１  突起
９２  くさび形状部材
９３  円柱
９４  穴
９５ａ〜９５ｃ  ピエゾ素子
９６  ダイクロイックプリズム
【図１】
2005071469.tif 000003
【図２】
2005071469.tif 000004
【図３】
2005071469.tif 000005
【図４】
2005071469.tif 000006
【図５】
2005071469.tif 000007
【図６】
2005071469.tif 000008
【図７】
2005071469.tif 000009
【図８】
2005071469.tif 000010
【図９】
2005071469.tif 000011
【図１０】
2005071469.tif 000012
【図１１】
2005071469.tif 000013
【図１２】
2005071469.tif 000014
【図１３】
2005071469.tif 000015
【図１４】
2005071469.tif 000016
【図１５】
2005071469.tif 000017
【図１６】
2005071469.tif 000018
【図１７】
2005071469.tif 000019